(57)【要約】【課題】左右のサイドスピーカと，それらの間に配置される中央スピーカ（ウーファ）とを備えたＡＶ機器が，薄型化及び小型化と左右音量バランス調節が行われたときの適切な音像定位制御とを両立できること。【解決手段】中央スピーカ１４Ｃの出力帯域（例えば５０Ｈｚ〜２００Ｈｚ）の一部に，サイドスピーカ１４Ｌ，１４Ｒの出力帯域（例えば１００Ｈｚ〜２００００Ｈｚ）の一部と重複する重複再現帯域Ｗが含まれ，音量バランスの偏りの程度に応じて，中央アッテネータ２４及び中央イコライザ２５Ｃが，モノラル音響信号（Ｌ，Ｒチャンネルの合成信号）の重複再現帯域Ｗを含む一部帯域の成分を相対的に減衰補正しつつその音量レベルを減衰補正し，左イコライザ２５Ｌ及び右イコライザ２５Ｒが，バランス増強側チャンネルのチャンネル信号について，重複再現帯域Ｗを含む一部の帯域の成分を相対的に増幅補正する。【選択図】図２
2009010816.tif 000002
【特許請求の範囲】
【請求項１】
機器本体の左右両側に配置されステレオ音響信号におけるＬチャンネル信号及びＲチャンネル信号それぞれが入力されて音響を出力する一対のサイドスピーカと，前記Ｌチャンネル信号及び前記Ｒチャンネル信号の音量バランスを調節する音量バランス調節手段と，前記Ｌチャンネル信号及び前記Ｒチャンネル信号を合成したモノラル音響信号を生成するモノラル音響信号生成手段と，前記一対のサイドスピーカの配列方向における間の位置に配置され前記モノラル音響信号が入力されて音響を出力する１組の中央スピーカと，を備え，前記中央スピーカにより再現可能な音響の周波数帯域における高周波数側の一部に，前記サイドスピーカにより再現可能な音響の周波数帯域における低周波数側の一部と重複する帯域である重複再現帯域が含まれてなるＡＶ機器であって，
前記音量バランス調節手段により調節された前記ステレオ音響信号における左右の音量バランスの偏りの程度に応じて，前記モノラル音響信号における前記重複再現帯域を含む一部の帯域の信号成分をそれより低い周波数帯域の信号成分よりも相対的に減衰補正しつつ，前記モノラル音響信号の音量レベルを減衰補正する合成信号補正手段と，
前記音量バランス調節手段により調節された前記ステレオ音響信号における左右の音量バランスの偏りの程度に応じて，音量が相対的に増強されている側のチャンネル信号について，前記重複再現帯域を含む一部の帯域の信号成分をそれより高い周波数帯域の信号成分よりも相対的に増幅補正するチャンネル信号補正手段と，
を具備してなることを特徴とするＡＶ機器。
【請求項２】
前記合成信号補正手段が，前記モノラル音響信号における１００Ｈｚ以上の周波数帯域の信号成分をそれより低い周波数帯域の信号成分よりも相対的に減衰補正してなる請求項１に記載のＡＶ機器。
【請求項３】
前記重複再現帯域が１００Ｈｚ以上２００Ｈｚ以下の周波数帯域を含んでなる請求項１又は２のいずれかに記載のＡＶ機器。
【請求項４】
映像を表示するパネルディスプレイと，該パネルディスプレイの左右両側に配置されステレオ音響信号におけるＬチャンネル信号及びＲチャンネル信号それぞれが入力されて音響を出力する一対のサイドスピーカと，前記Ｌチャンネル信号及び前記Ｒチャンネル信号の音量バランスを調節する音量バランス調節手段と，前記Ｌチャンネル信号及び前記Ｒチャンネル信号を合成したモノラル音響信号を生成するモノラル音響信号生成手段と，前記一対のサイドスピーカの配列方向における間の位置に配置され前記モノラル音響信号が入力されて音響を出力する１組の中央スピーカと，を備え，前記中央スピーカにより再現可能な音響の周波数帯域における高周波数側の一部に，前記サイドスピーカにより再現可能な音響の周波数帯域における低周波数側の一部と重複する帯域である重複再現帯域が含まれてなるテレビジョン受像機であって，
前記音量バランス調節手段により調節された前記ステレオ音響信号における左右の音量バランスの偏りの程度に応じて，前記モノラル音響信号における前記重複再現帯域を含む一部の帯域の信号成分をそれより高い周波数帯域の信号成分よりも相対的に減衰補正しつつ，前記モノラル音響信号の音量レベルを減衰補正する合成信号補正手段と，
前記音量バランス調節手段により調節された前記ステレオ音響信号における左右の音量バランスの偏りの程度に応じて，音量が相対的に増強されている側のチャンネル信号について，前記重複再現帯域を含む一部の帯域の信号成分をそれより低い周波数帯域の信号成分よりも相対的に増幅補正するチャンネル信号補正手段と，
を具備してなることを特徴とするテレビジョン受像機。
【発明の詳細な説明】
【技術分野】
【０００１】
本発明は，ステレオ音響を出力する複数のスピーカを備えたＡＶ機器及びテレビジョン受像機に関するものである。
【背景技術】
【０００２】
一般に，テレビジョン受像機等のＡＶ機器は，ステレオ音響信号におけるＬチャンネル信号及びＲチャンネル信号それぞれが入力されて音響を出力する一対のサイドスピーカを備え，それらサイドスピーカは，機器本体の左右両側に配置されている。そして，一対のサイドスピーカを備えたＡＶ機器は，一般に，Ｌチャンネル信号及びＲチャンネル信号の音量バランスを調節する音量バランス調節機能を備えている。
また，ＡＶ機器の中には，それら一対のサイドスピーカの配列方向（左右方向）における間の位置に配置された１組のスピーカ（以下，中央スピーカという）を備えるものもある。この中央スピーカは，Ｌチャンネル信号及びＲチャンネル信号を合成したモノラル音響信号が入力されて音響を出力する。
一般に，前記サイドスピーカは，人の聴覚においてステレオ感を敏感に感じる中高音域（例えば，５００Ｈｚ以上）が主な出力帯域（再現可能な帯域）であるスコーカやツイータ等のスピーカである。さらに，サイドスピーカに，低音域（例えば，１００〜５００Ｈｚ）が主な出力帯域であるウーファが含まれる場合もある。
一方，前記中央スピーカは，人の聴覚においてステレオ感をほとんど感じない（スピーカを左右に分けて配置する必要がない）超低音域（１００Ｈｚ以下）が主な出力帯域であるサブウーファと呼ばれるスピーカである。
例えば，特許文献１には，リスナの位置及び方向の検出結果に応じて複数の音響信号のミキシング比を調節し，ミキシング後の音響信号をサブウーファを除く複数のスピーカを通じて出力することによって音場（音像定位）を制御する装置について示されている。
【０００３】
ところで，液晶表示パネル等のパネルディスプレイ（薄型の映像表示部）を備えたテレビジョン受像機（ＡＶ機器の一例）は，装置の薄型化及び省スペース化に対する要請が特に強い。そのため，液晶テレビジョン受像機等の薄型ＡＶ機器において，奥行きサイズが大きくなるサブウーファを採用せず，さらに，サイドスピーカとして中高音域が主な出力帯域であるスコーカやツイータ等のスピーカを採用するとともに，中央スピーカとして低音域が主な出力帯域であるウーファが採用することが考えられる。この場合，中央スピーカであるウーファには，Ｌチャンネル信号とＲチャンネル信号との合成信号（モノラル音響信号）が入力される。このような薄型ＡＶ機器は，低音域から高音域までカバーできるスピーカシステムを薄型かつ省スペースで実現するものである。また，同薄型ＡＶ機器は，ステレオ感への影響が比較的大きな中高音域のスピーカをサイドスピーカとして，ステレオ感への影響が比較的小さな低音域のスピーカ（ウーファ）を中央スピーカとして採用されているので，ステレオ感のある音響出力も行うことができる。
【特許文献１】特開２００６−２７０５２２号公報
【発明の開示】
【発明が解決しようとする課題】
【０００４】
しかしながら，ウーファを中央スピーカとするＡＶ機器において，前記音量バランス調節機能によりＬチャンネル信号及びＲチャンネル信号の音量バランスに偏りが生じた場合，一対のサイドスピーカの作用によって中高音域の音像は装置正面方向に対して左右のいずれかに移動する。これに対し，中央スピーカ（ウーファ）の作用による低音域の音像は装置正面方向に残ったままとなる。このように，ステレオ感に影響する音響の周波数帯域（１００Ｈｚ以上）において，一部の帯域ごとに音像の位置（方向）が大きく異なると，リスナの聴覚に非常に違和感のある不自然さを感じさせるという問題点があった。
従って，本発明は上記事情に鑑みてなされたものであり，その目的とするところは，左右両側に配置された一対のサイドスピーカと，それらの間に配置されるスピーカであって，ステレオ感に影響する音響帯域（例えば，１００Ｈｚ以上）を出力周波数帯域の一部に含む中央スピーカ（ウーファがその典型例）とを備え，スピーカシステムの薄型化及び小型化と左右の音量バランス調節が行われたときの適切な音像定位制御とを両立できるＡＶ機器及びテレビジョン受像機を提供することにある。
【課題を解決するための手段】
【０００５】
上記目的を達成するために本発明に係るＡＶ機器は，次の（１）〜（６）に示す各構成要素を備えるものである。
（１）機器本体の左右両側に配置されステレオ音響信号におけるＬチャンネル信号及びＲチャンネル信号それぞれが入力されて音響を出力する一対のサイドスピーカ。なお，前記サイドスピーカそれぞれは，１つのスピーカからなるものや，複数のスピーカからなるものが考えられる。
（２）前記Ｌチャンネル信号及び前記Ｒチャンネル信号の音量バランスを調節する音量バランス調節手段。
（３）前記Ｌチャンネル信号及び前記Ｒチャンネル信号を合成したモノラル音響信号を生成するモノラル音響信号生成手段。
（４）前記一対のサイドスピーカの配列方向における間の位置に配置され前記モノラル音響信号が入力されて音響を出力する１組の中央スピーカ（いわゆるウーファがその典型例）。
ここで，前記中央スピーカにより再現可能な音響の周波数帯域における高周波数側の一部に，前記サイドスピーカにより再現可能な音響の周波数帯域における低周波数側の一部と重複する帯域である重複再現帯域が含まれている。なお，前記中央スピーカは，１つのスピーカからなるものや，複数のスピーカからなるものが考えられる。
（５）前記音量バランス調節手段により調節された前記ステレオ音響信号における左右の音量バランスの偏りの程度に応じて，前記モノラル音響信号における前記重複再現帯域を含む一部の帯域の信号成分をそれより低い周波数帯域の信号成分よりも相対的に減衰補正しつつ，前記モノラル音響信号の音量レベルを減衰補正する合成信号補正手段。
（６）前記音量バランス調節手段により調節された前記ステレオ音響信号における左右の音量バランスの偏りの程度に応じて，音量が相対的に増強されている側のチャンネル信号について，前記重複再現帯域を含む一部の帯域の信号成分をそれより高い周波数帯域の信号成分よりも相対的に増幅補正するチャンネル信号補正手段。
ここで，前記重複再現帯域には，ステレオ感に影響する音響の周波数帯域（例えば，１００Ｈｚ以上）が含まれている。
前記合成信号補正手段は，前記モノラル音響信号におけるステレオ感に影響する音響の周波数帯域（例えば，１００Ｈｚ以上）の周波数帯域の信号成分をそれより低い周波数帯域の信号成分よりも相対的に減衰補正する。
また，前記重複再現帯域は，例えば，１００Ｈｚ以上２００Ｈｚ以下の周波数帯域を含む帯域である。
【０００６】
本発明に係るＡＶ機器は，前記音量バランス調節手段によってＬチャンネル信号及びＲチャンネル信号の音量バランスに偏りが生じた場合（一対のサイドスピーカの出力周波数帯域の音像が機器正面方向に対して左右のいずれかに移動した場合），左右の音量バランスの偏りの程度に応じて，前記合成信号補正手段による処理及び前記チャンネル信号補正手段による処理（いずれも，いわゆるイコライズ処理の一例）を実行する。
前記合成信号補正手段の処理により，中央スピーカの出力音響によって機器正面方向に残る音像のレベルが下がり，リスナの聴覚に与える違和感（不自然さ）を軽減できる。
また，前記チャンネル信号補正手段の処理により，音量が低下した中央スピーカからの出力音響のうちの一部の帯域の音量が，音量が相対的に増強されている側のチャンネル信号に対応する一方のサイドスピーカの出力音響によって補われる。これにより，低音側の帯域についての音像移動を実現できる。ここで，サイドスピーカによって中央スピーカの出力音響の音量低下分の全てを補うことはできない。しかしながら，本発明のように，モノラル音響信号の減衰補正（特に，１００Ｈｚ以上の帯域の減衰補正）と，音量増強側のチャンネル信号における低音域の増強補正とを併せて行うことにより，ステレオ感に影響する音響の周波数帯域（１００Ｈｚ以上）における一部の帯域ごとの音像の位置（方向）の差を小さくできる。その結果，中央スピーカの出力音響によって機器正面方向に残る音像を高いレベルのまま維持する場合に比べ，リスナにとって違和感の少ない（自然な）音響出力（適切な音像定位制御）を行うことができる。
また，本発明は，以上に示した本発明に係るＡＶ機器が備える各構成要素と，映像を表示するパネルディスプレイ（液晶表示パネルやプラズマディスプレイ等）とを備えたテレビジョン受像機として実現されれば好適である。この場合，そのパネルディスプレイの左右両側に前記一対のサイドスピーカが配置される。
【発明の効果】
【０００７】
本発明に係るＡＶ機器及びテレビジョン受像機は，左右両側に配置された一対のサイドスピーカと，それらの間に配置されるスピーカであって，ステレオ感に影響する音響帯域（例えば，１００Ｈｚ以上）を出力周波数帯域の一部に含む中央スピーカとを備えることにより，低音域から高音域までカバーできるスピーカシステムを薄型かつ省スペースで実現できる。さらに，本発明に係るＡＶ機器及びテレビジョン受像機は，ステレオ感への影響が比較的大きな中高音域のスピーカをサイドスピーカとして，ステレオ感への影響が比較的小さな低音域のスピーカ（ウーファ）を中央スピーカとして採用することにより，ステレオ感のある音響出力も行うことができる。
また，本発明に係るＡＶ機器及びテレビジョン受像機は，左右の音量バランス調節が行われた場合でも，中央スピーカに入力されるモノラル音響信号の減衰補正と，音量増強側のチャンネル信号における低音域の増強補正とを併せて行うことにより，適切な音像定位制御を実現できる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るＡＶ機器の一例であるテレビジョン受像機Ｘの概略構成を表すブロック図，図２はテレビジョン受像機Ｘが備える音響処理回路の概略構成を表すブロック図，図３はテレビジョン受像機Ｘが備えるスピーカの周波数特性を表す図，図４は音響処理回路における左右音量バランスの増強側チャンネルのイコライザの設定ゲインを模式的に表した図，図５は音響処理回路における左右音量バランスの減衰側チャンネルのイコライザの設定ゲインを模式的に表した図，図６は音響処理回路における中央イコライザの設定ゲインを模式的に表した図，図７は音量バランス調節処理によるバランス増強側チャンネルに対応するサイドスピーカの出力変化を表す図，図８は音量バランス調節処理によるバランス減衰側チャンネルに対応するサイドスピーカの出力変化を表す図，図９は音量バランス調節処理による中央スピーカの出力変化を表す図である。
【０００９】
まず，図１に示すブロック図を参照しつつ，本発明の実施形態に係るＡＶ機器の一例であるテレビジョン受像機Ｘの構成について説明する。
テレビジョン受像機Ｘは，入力された放送信号やＡＶ信号に基づいて，映像表示部１６に映像信号を入力させて映像を表示するとともに，３組のスピーカ１４Ｌ，１４Ｒ，１４Ｃに音響信号を入力させてステレオ音響を出力するＡＶ機器の一例である。
図１に示すように，テレビジョン受像機Ｘは，ディジタルチューナ１，復調回路２，デマルチプレクサ３，映像デーコーダ回路４，映像入力選択回路５，映像処理回路６，外部入力部７，制御回路８，リモコン受光部９，リモコン１５，映像表示部１６，音響デコーダ回路１０，音響入力選択回路１１，音響処理回路１２，アンプ１３，及びスピーカ１４等を具備している。
【００１０】
前記ディジタルチューナ１は，前記制御回路８により選択を指示された放送番組の信号が含まれる搬送波周波数成分を選択して後段の復調回路２に伝送する。
前記復調回路２は，前記ディジタルチューナ１から伝送されてきた搬送波周波数成分からトランスポートストリーム信号（Transport Stream信号：以下、ＴＳ信号）を復調する。
前記デマルチプレクサ３は，前記ディジタルチューナ１及び前記復調回路２により抽出されたＴＳ信号から，視聴する放送番組に対応した映像信号及び音響信号，並びに付加データ等を分離して抽出するものである。さらに，前記デマルチプレクサ３は，前記制御回路８から受けたＰＩＤ（Packet IDentification)に応じて，視聴対象となる放送番組の映像信号及び音響信号を抽出し，各信号を前記映像デコーダ回路４及び前記音響デコーダ回路１０それぞれに伝送する。
前記映像デコーダ回路４は，前記デマルチプレクサ３から受けた映像信号を復号し，復号した映像信号を前記映像入力選択回路５に伝送する。同様に，前記音響デコーダ回路１０は，前記デマルチプレクサ３から受けた音響信号を復号し，復号した音響信号を前記音響入力選択回路１１に伝送する。
【００１１】
前記外部入力部７は，外部機器からＡＶ信号（映像信号及び音響信号）を入力する信号入力インターフェースである。この外部入力部７を通じて入力された映像信号は前記映像入力選択回路５へ伝送され，同音響信号は前記音響入力選択回路１１へ伝送される。
前記映像入力選択回路５は，前記制御回路８からの制御指令に従って，前記ディジタルチューナ１により選局されたチャンネルの映像信号（前記映像デコーダ回路４を通じて入力される映像信号）と，前記外部入力部７を通じて入力される映像信号とのいずれかを選択して前記映像処理回路６へ伝送する回路である。
前記映像処理回路６は，前記映像入力選択回路５により選択された映像信号に対して各種信号処理を行うものである。例えば，前記映像処理回路６は，制御回路８から伝送される画像情報や文字情報を映像入力選択回路５から伝送される映像信号に重ねて或いは置き換えて映像表示部１６に表示させる機能を備えている。
前記映像表示部１６は，映像処理回路６から出力される映像信号に基づく映像を表示する薄型のパネルディスプレイであり，例えば，液晶表示パネルやプラズマディスプレイ等である。
【００１２】
前記音響入力選択回路１１は，前記制御回路８からの制御指令に従って，前記ディジタルチューナ１により選局されたチャンネルの音響信号（前記音響デコーダ回路１０を通じて入力される音響信号）と，前記外部入力部７を通じて入力される音響信号とのいずれかを選択して前記音響処理回路１２へ伝送する回路である。
前記音響処理回路１２は，前記制御回路８からの指示に従って，前記音響入力選択回路１１により選択された音響信号に対して各種信号処理を行うものである。例えば，イコライズ処理や，ステレオ音響信号におけるＬチャンネル信号とＲチャンネル信号との間の音量バランスの調節処理等を行う。前記アンプ１３は，前記音響処理回路１２による処理後の音響信号を，前記制御回路８からの指示に従って増幅或いは減衰させる処理を行い，前記スピーカ１４に出力するものである。
【００１３】
前記スピーカ１４は，一対のサイドスピーカ１４Ｌ，１４Ｒと１組の中央スピーカ１４Ｃとからなる。
一対のサイドスピーカ１４Ｌ，１４Ｒは，当該テレビジョン受像機Ｘ本体の左右両側（映像表示部１６の左右両側）に配置され，ステレオ音響信号におけるＬチャンネル信号及びＲチャンネル信号それぞれが入力されて音響を出力するスピーカである。
また，１組の中央スピーカ１４Ｃは，Ｌチャンネル信号及びＲチャンネル信号を合成したモノラル音響信号が入力されて音響を出力するスピーカであり，一対のサイドスピーカ１４Ｌ，１４Ｒの配列方向（左右方向）における間の位置（例えば，映像表示部１６の下方の位置）に配置されている。
なお，サイドスピーカ１４Ｌ，１４Ｒ及び中央スピーカ１４Ｃは，それぞれ１つのスピーカにより構成されてる場合，又は複数のスピーカの組合わせ（例えば，出力周波数帯域が異なる複数のスピーカの組合せ等）により構成されている場合が考えられる。
図３は，サイドスピーカ１４Ｌ，１４Ｒ（図中，左右ＳＰと表記）及び中央スピーカ１４Ｃ（図中，中央ＳＰと表記）それぞれの周波数特性を表す図である。
図３のグラフｇ１１に示すように，サイドスピーカ１４Ｌ，１４Ｒの出力特性（周波数特性）は同じであり，いずれも，中高音域の音響を再現可能なスピーカである。例えば，サイドスピーカ１４Ｌ，１４Ｒは，２００Ｈｚ〜２００００Ｈｚの中高音域を主な再現帯域とし，さらに，相対的にゲインは低いものの，低音域の一部である１００Ｈｚ以上２００Ｈｚ以下の帯域の音響も再現可能である。
一方，図３のグラフｇ１２に示すように，中央スピーカ１４Ｃは，低音域の音響を再現可能なスピーカ（いわゆるウーファ）である。例えば，中央スピーカ１４Ｃは，１００Ｈｚ〜２００Ｈｚの帯域の低音域を主な再現帯域とし，さらに，相対的にゲインは低いものの，超低音域の一部である５０Ｈｚ〜１００Ｈｚの帯域の音響も再現可能である。
このように，中央スピーカ１４Ｃにより再現可能な音響の周波数帯域（概ね５０Ｈｚ〜３００Ｈｚ）における高周波数側の一部に，サイドスピーカ１４Ｌ，１４Ｒにより再現可能な音響の周波数帯域（概ね１００Ｈｚ〜２００００Ｈｚ）における低周波数側の一部と重複する帯域として，人の聴覚のステレオ感に影響を与える１００Ｈｚ〜２００Ｈｚの帯域が含まれている。この重複する帯域のことを，以下，重複再現帯域Ｗと称する。
【００１４】
前記リモコン受光部９は，当該テレビジョン受像機Ｘの操作用のリモコン１５（リモート操作器）から，所定の信号伝送プロトコル（いわゆるリモコンプロトコル）に従って比較的低速な信号伝送により，赤外線による無線信号受信を行う信号伝送インターフェースである。リモコン受光部９は，赤外線信号伝送によってリモコン１５に対する操作入力情報を取得し，その操作入力情報を制御回路８に伝送する。
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ａが実行する処理において読み書き（参照又は書き込み）される各種データを記憶する不揮発メモリ８ｃ等を備え，当該テレビジョン受像機Ｘ全体を制御するものである。前記不揮発メモリ８ｃは，例えばフラッシュメモリやＥＥＰＲＯＭ等である。
例えば，リモコン１５に設けられた音量バランス調節キーが操作された場合，そのキー操作に応じて左右バランス調節信号ＢＬが，リモコン１５からリモコン受光部９及び制御回路８を介して音響処理回路１２に伝送される。左右バランス調節信号ＢＬは，ステレオ音響信号におけるＬチャンネル信号ＳｉＬとＲチャンネル信号ＳｉＲとの音量比率を表す信号である。以下，例えば，左右バランス調節信号ＢＬにより，Ｌチャンネル信号の音量：Ｒチャンネル信号の音量＝１１０％：９０％と設定された状態を「Ｌｃｈ：＋１０％」，同様に，Ｌチャンネル信号の音量：Ｒチャンネル信号の音量＝９０％：１１０％と設定された状態を「Ｌｃｈ：−１０％」などと表記する。
また，以下，左右バランス調節信号ＢＬにより，ステレオ音響信号における左右の音量バランスに偏りが生じるよう設定された状態（「Ｌｃｈ：±０％」以外の状態）において，音量が相対的に増強される側のチャンネル（例えば，「Ｌｃｈ：＋１０％」の状態であればＬチャンネル）をバランス増強側チャンネルと称する。
【００１５】
次に，図２に示すブロック図を参照しつつ，音響処理回路１２について説明する。
図２に示すように，音響処理回路１２は，左アッテネータ２１Ｌ及び右アッテネータ２１Ｒと，共通イコライザ２２と，音響信号合成部２３と，中央アッテネータ２４と，左イコライザ２５Ｌ及び右イコライザ２５Ｒと，中央イコライザ２５Ｃとを備えている。
左アッテネータ２１Ｌ及び右アッテネータ２１Ｒは，制御回路８から伝送される前記左右バランス調節信号ＢＬに応じて，Ｌチャンネル信号ＳｉＬ及びＲチャンネル信号ＳｉＲの音量バランスを調節する処理（音量バランス調節処理）を実行する回路である（前記音量バランス調節手段の一例）。例えば，左右バランス調節信号ＢＬにより，「Ｌｃｈ：＋１０％」の音量バランスの設定が行われた場合，左アッテネータ２１Ｌが，Ｌチャンネル信号ＳｉＬの音量を１０％増強（増幅）させるとともに，右アッテネータ２１Ｒが，Ｒチャンネル信号ＳｉＲの音量を１０％減衰させる。これにより，左右両チャンネルの音響の総音量が維持されたまま，左右の音量バランス（音量比）が変化する。
【００１６】
共通イコライザ２２は，制御回路８から伝送されるイコライズ設定情報に従って，ステレオ音響信号（Ｌチャンネル信号及びＲチャンネル信号）に対してイコライズ処理を実行する回路である。なお，イコライズ処理は，周知のごとく，音響信号における全周波数帯域が複数に区分された各区分の信号成分（周波数ビン）ごとに，その信号成分を増幅又は減衰させる処理である。このイコライズ処理では，まず，時間領域の音響信号をフーリエ変換処理によって周波数領域の音響信号に変換し，その周波数領域の音響信号について周波数ビンごとのゲイン調節（増幅又は減衰）を行い，その後，逆フーリエ変換処理によって周波数領域の音響信号を再び時間領域の音響信号に戻す。なお，前記イコライズ設定情報は，周波数ビンごとのゲイン情報であり，ユーザによりリモコン１５を通じて設定される情報である。
なお，図２においては，音量バランス調節処理が施された後のＬチャンネル信号ＳｉＬ及びＲチャンネル信号ＳｉＲに対して共通イコライザ２２の処理が施される例を示すが，各チャンネル信号ＳｉＬ，ＳｉＲに対して音量バランス調節処理と共通イコライザ２２の処理とを施す順序は逆であってもよい。
音響信号合成部２３は，音量バランス調節処理と共通イコライザ２２の処理とが施された後のＬチャンネル信号ＳｉＬ及びＲチャンネル信号ＳｉＲを合成したモノラル音響信号を生成する回路である（前記モノラル音響信号生成手段の一例）。この音響信号合成部２３により生成されるモノラル音響信号は，音量バランス調節処理の結果が反映された音響信号である。
なお，以上に示した左アッテネータ２１Ｌ，右アッテネータ２１Ｒ，共通イコライザ２２及び音響信号合成部２３は，従来の音響処理回路にも設けられている。
【００１７】
中央アッテネータ２３は，左右バランス調節信号ＢＬの内容に応じて，音響信号合成部２３により生成されたモノラル音響信号（合成信号）の音量レベル（全周波数帯域の信号成分のレベル）を減衰補正する回路である。なお，左右バランス調節信号ＢＬは，左アッテネータ２１Ｌ及び右アッテネータ２１Ｒにより調節されたステレオ音響信号における左右の音量バランスの偏りの程度を表す信号の一例である。
また，中央イコライザ２５Ｃは，中央アッテネータ２３による処理が施されたモノラル音響信号に対してイコライズ処理を実行する回路である。より具体的には，中央イコライザ２５Ｃは，左右バランス調節信号ＢＬの内容（即ち，左右の音量バランスの偏りの程）に応じて，モノラル音響信号における高周波数側の一部の帯域の信号成分を，それより低い周波数帯域の信号成分よりも相対的に減衰補正する。
【００１８】
図６は，左右の音量バランスの偏りがある場合（例えば，前記バランス増強側チャンネルがＬチャンネルである場合）における中央イコライザ２５Ｃの設定ゲインを模式的に表した図である。
図６に示すように，中央イコライザ２５Ｃは，左右の音量バランスの偏りの程度に応じて，モノラル音響信号における高周波数側の一部の帯域（図６に示す例では，概ね１００Ｈｚを超える帯域）の信号成分を，それより低い周波数帯域（概ね１００Ｈｚ以下）の信号成分よりも相対的に減衰補正する。より具体的には，中央イコライザ２５Ｃは，音量バランスの偏りが大きいほど，高周波数側の一部の帯域の減衰幅を大きくする。ここで，減衰対象となる高周波数側の一部の帯域は，前記重複再現帯域Ｗを含む帯域である。
以上に示したように，中央アッテネータ２４及び中央イコライザ２５Ｃは，音量バランスの偏りの程度に応じて，モノラル音響信号における前記重複再現帯域Ｗを含む一部の帯域の信号成分を，それより低い周波数帯域の信号成分よりも相対的に減衰補正しつつ，モノラル音響信号の音量レベルを減衰補正するものである（前記合成信号補正手段の一例）。
なお，中央イコライザ２５Ｃのみにより，モノラル音響信号における前記重複再現帯域Ｗを含む一部の帯域の信号成分を，それより低い周波数帯域の信号成分よりも相対的に減衰補正しつつ，モノラル音響信号の音量レベルを減衰補正することも可能である。この場合，モノラル音響信号における１００Ｈｚ以下の帯域については音量レベルを元のまま維持することも考えられる。
【００１９】
また，左イコライザ２５Ｌ及び右イコライザ２５Ｒは，左右バランス調節信号ＢＬの内容に応じて，Ｌチャンネル信号ＳｉＬ又はＲチャンネル信号ＳｉＲのいずれか一方に対してイコライズ処理を施す回路である。より具体的には，左イコライザ２５Ｌ及び右イコライザ２５Ｒは，左右バランス調節信号ＢＬの内容（即ち，左右の音量バランスの偏りの程）に応じて，前記バランス増強側チャンネルのチャンネル信号について，低周波数側の一部の帯域（前記重複再現帯域Ｗを含む）の信号成分をそれより高い周波数帯域の信号成分よりも相対的に増幅補正する回路である（前記チャンネル信号補正手段の一例）。
【００２０】
図４及び図５は，それぞれ前記バランス増強側チャンネル（ここでは，Ｌチャンネル）及び他方のチャンネル（ここでは，Ｒチャンネル）に対応するイコライザ２５Ｌ，２５Ｒの設定ゲインを模式的に表した図である。
図４に示すように，前記バランス増強側チャンネルに対応するイコライザ（ここでは，左イコライザ２５Ｌ）は，左右の音量バランスの偏りの程度に応じて，バランス増強側チャンネルのチャンネル信号（ここでは，Ｌチャンネル信号ＳｉＬ）における低周波数側の一部の帯域（図４に示す例では，概ね５００Ｈｚ以下の帯域）の信号成分を，それより高い周波数帯域（概ね５００Ｈｚ以上）の信号成分よりも相対的に増幅補正する。より具体的には，バランス増強側チャンネルに対応するイコライザは，音量バランスの偏りが大きいほど，低周波数側の一部の帯域の増幅幅を大きくする。ここで，増幅対象となる低周波数側の一部の帯域は，前記重複再現帯域Ｗを含む帯域である。
一方，図５に示すように，前記バランス増強側チャンネル以外のチャンネルに対応するイコライザ（ここでは，右イコライザ２５Ｒ）は，イコライズ処理（一部の帯域の信号成分の増幅処理又は減衰処理）を行わない。なお，前記バランス増強側チャンネル以外のチャンネルに対応するイコライザが，重複際限帯域Ｗを含む低周波数側の一部の帯域の信号成分を，それより高い周波数帯域の信号成分よりも相対的にわずかに減衰補正することも考えられる。
【００２１】
図７〜図９は，音量バランス調節処理による各スピーカの出力変化を表す図である。ここで，図７はバランス増強側チャンネルに対応するサイドスピーカ（ここでは，左側のサイドスピーカ１４Ｌ）の出力変化，図８はバランス減衰側チャンネルに対応するサイドスピーカ（ここでは，右側のサイドスピーカ１４Ｒ）の出力変化，図９は中央スピーカ１４Ｃの出力変化を表す。なお，図７〜図９において，細い一点鎖線で表すグラフが，音量バランス調節が行われる前のスピーカ出力の状態（音圧レベル分布）を表し，太い実線で表すグラフが，音量バランス調節（中央アッテネータ２４及び３つのイコライザ２５Ｌ，２５Ｒ，２５Ｃによる補正処理を含む）が行われた後のスピーカ出力の状態を表す。
音量バランス調節処理によって音量バランスの偏りを生じさせる設定がなされた場合，図７及び図８において矢印Ｐ１１，Ｐ２１で示されるように，左アッテネータ２１Ｌ及び右アッテネータ２１Ｒの作用により，バランス増強側チャンネルのサイドスピーカ１４Ｌの出力音響は増幅補正され，他方のチャンネルのサイドスピーカ１４Ｒの出力音響は減衰補正される。これにより，一対のサイドスピーカ１４Ｌ，１４Ｒの出力音響により定まる中高音域の音像は装置正面方向に対して左側に移動する。
【００２２】
また，音量バランス調節処理によって音量バランスの偏りを生じさせる設定がなされた場合，図９において矢印Ｐ３１で示されるように，中央アッテネータ２４の作用により，中央スピーカ１４Ｃの出力音響は減衰補正される。さらに，図９において矢印Ｒ３２で示されるように，中央スピーカ１４Ｃの出力音響における高周波数側の一部の帯域（重複再現帯域Ｗを含む帯域）の音響成分，即ち，ステレオ感に影響する１００Ｈｚ以上の帯域の音響成分は，それより低い周波数帯域の音響成分（即ち，ステレオ感への影響が小さい音響成分）よりも高い減衰率（減衰度合いが高いことを意味する）で減衰する。
これにより，中央スピーカ１４Ｃの出力音響によって機器正面方向に残る音像のレベルが下がり，リスナの聴覚に与える違和感（不自然さ）が軽減される。
【００２３】
一方，図７において矢印Ｐ１２で示されるように，前記左イコライザ２５Ｌの作用により，バランス増強側チャンネルのサイドスピーカ１４Ｌの出力音響における低周波数側の一部の帯域（重複再現帯域Ｗを含む帯域）の音響成分は，それより高い周波数帯域の音響成分よりも高い増幅率で増幅される。これにより，音量が低下した中央スピーカ１４Ｃからの出力音響のうちの一部の帯域（特に，１００Ｈｚ〜２００Ｈｚの帯域）の音量が，バランス増強側チャンネルのサイドスピーカ１４Ｌの出力音響によって補われる。その結果，低音域についての音像移動を実現できる。ここで，サイドスピーカ１４Ｌによって中央スピーカ１４Ｃの出力音響の音量低下分の全てを補うことはできない。しかしながら，音響処理回路１２により，モノラル音響信号の減衰補正（特に，１００Ｈｚ以上の帯域の減衰補正）と，バランス増強側チャンネルのチャンネル信号ＳｉＬにおける低音域の増強補正とを併せて行うことにより，ステレオ感に影響する音響の周波数帯域（１００Ｈｚ以上）における一部の帯域ごとの音像の位置（方向）の差を小さくできる。その結果，中央スピーカ１４Ｃの出力音響によって機器正面方向に残る音像を高いレベルのまま維持する場合に比べ，リスナにとって違和感の少ない（自然な）音響出力（適切な音像定位制御）を行うことができる。
【００２４】
ところで，音量バランス調節の有無に関わらず，各スピーカ１４Ｌ，１４Ｒ，１４Ｃに対応するイコライザ２５Ｌ，２５Ｒ，２５Ｃにより，常に，サイドスピーカ１４Ｌ，１４Ｒに入力される各チャンネル信号ＳｉＬ，ＳｉＲにおける前記重複再現帯域Ｗのレベルを増幅し，中央スピーカ１４Ｃに入力されるモノラル音響信号における前記重複再現帯域Ｗのレベルを減衰させることも考えられる。しかしながら，左右の音量バランスに偏りがない場合，各イコライザ２５Ｌ，２５Ｒ，２５Ｃにおける周波数帯域ごとのゲインを極力フラットにし，各スピーカ１４Ｌ，１４Ｒ，１４Ｃの本来の特性を有効に活かした方が，より音質の良い音響が得られる。従って，本発明のように，左右の音量バランスに偏りがある場合にのみ，その偏りの程度に応じて，前記重複再現帯域Ｗを含む帯域について各イコライザ２５Ｌ，２５Ｒ，２５Ｃのゲイン調節を行うことにより，各スピーカ１４Ｌ，１４Ｒ，１４Ｃの特性を活かしてトータルの音質性能を高めることができる。
【産業上の利用可能性】
【００２５】
本発明は，パネルディスプレイ方式のテレビジョン受像機や，壁掛けタイプのステレオ機器等，小型化及び薄型化が要求されるＡＶ機器への利用が可能である。
【図面の簡単な説明】
【００２６】
【図１】本発明の実施形態に係るＡＶ機器の一例であるテレビジョン受像機Ｘの概略構成を表すブロック図。
【図２】テレビジョン受像機Ｘが備える音響処理回路の概略構成を表すブロック図。
【図３】テレビジョン受像機Ｘが備えるスピーカの周波数特性を表す図。
【図４】音響処理回路における左右音量バランスの増強側チャンネルのイコライザの設定ゲインを模式的に表した図。
【図５】音響処理回路における左右音量バランスの減衰側チャンネルのイコライザの設定ゲインを模式的に表した図。
【図６】音響処理回路における中央イコライザの設定ゲインを模式的に表した図。
【図７】音量バランス調節処理によるバランス増強側チャンネルに対応するサイドスピーカの出力変化を表す図。
【図８】音量バランス調節処理によるバランス減衰側チャンネルに対応するサイドスピーカの出力変化を表す図。
【図９】音量バランス調節処理による中央スピーカの出力変化を表す図。
【符号の説明】
【００２７】
Ｘ  ：テレビジョン受像機
１  ：ディジタルチューナ
２  ：復調回路
３  ：デマルチプレクサ
４  ：映像デコーダ回路
５  ：映像入力選択回路
６  ：映像処理回路
７  ：外部入力部
８  ：制御回路
９  ：リモコン受光部
１０：音響デコーダ回路
１１：音響入力選択回路
１２：音響処理回路
１３：アンプ
１４：スピーカ
１５：リモコン
１６：映像表示部
２１Ｌ：左アッテネータ
２１Ｒ：右アッテネータ
２２：共通イコライザ
２３：音響信号合成部
２４：中央アッテネータ
２５Ｌ：左イコライザ
２５Ｒ：右イコライザ
２５Ｃ：中央イコライザ
【図１】
2009010816.tif 000003
【図２】
2009010816.tif 000004
【図３】
2009010816.tif 000005
【図４】
2009010816.tif 000006
【図５】
2009010816.tif 000007
【図６】
2009010816.tif 000008
【図７】
2009010816.tif 000009
【図８】
2009010816.tif 000010
【図９】
2009010816.tif 000011